(57)【要約】      （修正有）【課題】草の根に対する引っ掛かりが良好で滑りが生じにくく、除去すべき草の根切れが生じ難く、従来に比して効率良く除草することのできる除草具を提供する。【解決手段】先端部２ａが細く鋭利に形成された円柱状の金属棒２の基端部２ｂには把持部３が取り付けられ、金属棒の周囲には所定の間隔で金属棒と同心円状の刃部２ｃが放射状に一体に突出形成される。刃部は、所定のピッチを有する螺旋状に突出形成されているのが好ましい。【選択図】図１
0003190338.tif 000002
【実用新案登録請求の範囲】
【請求項１】
先端部が細く鋭利に形成された円柱状の金属棒の基端部には把持部が取り付けられた除草具であって、
前記金属棒の周囲には所定の間隔で前記金属棒と同心円状の刃部が放射状に一体に突出形成された除草具。
【請求項２】
金属棒と同心円状に突出形成された刃部は、所定のピッチを有する螺旋状に突出形成された請求項１に記載の除草具。
【請求項３】
金属棒は、先端部から基端部に至るにしたがって外径寸法を大きく形成した請求項１及び２に記載の除草具。
【考案の詳細な説明】
【技術分野】
【０００１】  本考案は、庭、畑、公園、ゴルフ場等で不要に生えた雑草類を根ごと地面から引き抜く際に使用する除草具に関する。
【背景技術】
【０００２】  雑草を除去する除去具ないしは草取り具として、従来、把手部に刃部の基端を固着し、その刃部には、先端部の一側縁を凹凸に形成したものが知られている（例えば特許文献１参照）。【０００３】  また、同じ用途の他の器具として、柄の一端に三日月状に湾曲した鎌板を固定し、その鎌板の内側湾曲縁に山形の切欠きを複数個形成した器具が知られている（例えば特許文献２参照）。
【先行技術文献】
【特許文献】
【０００４】
【特許文献１】特開２００７−１３５５０８号公報
【特許文献２】特開平７−３０３４０１号公報
【考案の概要】
【考案が解決しようとする課題】
【０００５】  ところで、従来のこの種の除草のための器具は、把持部に１枚の刃部ないしは鎌板等の草を絡めるための金属板を固着して、その刃部ないしは鎌板等の一側縁に凹凸を形成した構造を有するものが殆どである。このような除草具では、軽く鋭く土中に突き刺すことができ、また、石と石との狭い間でも除草できるという利点はあるものの、以下のような問題がある。【０００６】  すなわち、比較的薄い１枚の板状部材の側縁に形成した凹凸の歯列ないしは複数の爪状部位によって、草を１箇所において引っ掛けて引き抜くため、茎が切れたり根切れが生じやすい。また、１箇所で草を引っ掛けるために、特に細い根や茎の草では、うまく引っ掛からずに滑ってしまう可能性があり、更に、草に対する絡みが悪いため、除草のために何度も器具を突きたてる必要がある。また、この種の器具においては、一般に、草の根元を狙って器具を突きたてて除草するのであるが、根元がはっきりしない草、例えば横這いの細い草や茂った所、あるいは小さな子や孫の付随している草を対象とする場合には効率が悪くなるという問題もある。【０００７】  本考案の課題は、このような問題点を解決するものであって、草の根に対する引っ掛かりが良好で滑りが生じにくく、除去すべき草の根切れが生じ難く、従来に比して効率良く除草することのできる除草具を提供することにある。
【課題を解決するための手段】
【０００８】  そこで、本考案による除草具は、先端部が細く鋭利に形成された円柱状の金属棒の基端部には把持部が取り付けられ、前記金属棒の周囲には所定の間隔で前記金属棒と同心円状の刃部が放射状に一体に突出形成されたことを要旨としている。【０００９】  また、金属棒と同心円状に突出形成された刃部は、所定のピッチを有する螺旋状に突出形成することが望ましい。【００１０】  さらに、金属棒は、先端部から基端部に至るにしたがって外径寸法を大きく形成することがのぞましい。
【考案の効果】
【００１１】  本考案によれば、端部が細く鋭利に形成された円柱状の金属棒の周囲に、所定の間隔で金属棒と同心円状の刃部を放射状に一体に突出形成しているので、地中の草の根に向けて金属棒の鋭利な先端を突き刺すことにより、同心円状の刃部の全周囲で草の根を引っ掛けることができるので、除草の効率を向上させることができる。また、同心円状の刃部が所定の間隔で突出形成されているので、複数の根を同時に引っ掛けるので、茎の切れや根切れの発生を防止することができる。これにより、従来に比して効率良く除草することができる。【００１２】  また、金属棒と同心円状に突出形成された刃部を、所定のピッチを有する螺旋状に突出形成することにより、草の根に向けて突き刺した後、把持部を回転することにより、根が刃部の全周囲に根を引っ掛けるとともに、刃部の間に巻き付けながら移動させることができるので、長尺の草の根であっても根切れの発生を防止しながら効率よく除草することが可能となる。【００１３】  さらに、金属棒を先端部から基端部に至るにしたがって外径寸法を大きく形成することにより、小さい外径寸法の先端側によって幅狭な隙間の草を除草することができ、大きい外径寸法の基端側では太い草の根であっても引っ掛けて引き抜くことができるので、多用な草に対して効率よく除草することが可能となる。
【図面の簡単な説明】
【００１４】
【図１】本考案に関わる除草具の実施例を示す平面図である。
【図２】図１に示す除草具の一部拡大図である。
【図３】図２におけるＡ−Ａ部断面図である。
【図４】本考案に関わる除草具による除草の仕方の例の説明図である。
【図５】（Ａ）（Ｂ）は、刃部の他の実施例を示す要部平面図である。
【考案を実施するための形態】
【００１５】  除草具は、先端部が細く鋭利に形成された円柱状の金属棒の基端部には把持部が取り付けられ、前記金属棒の周囲には所定の間隔で前記金属棒と同心円状の刃部が放射状に一体に突出形成されている。
【００１６】  以下、図面に基づいて本考案の実施例を詳細に説明する。図１は、本考案に関わる除草具の実施例を示している。除草具１は、金属棒２と、この金属棒２の基端部２ｂに取り付けられた把持部３によって構成されている。
【００１７】  金属棒２は、好ましくは防錆機能を有する例えばステンレスからなる円柱状の金属棒であり、その直径は５ｍｍ〜１５ｍｍとすることが望ましく、長さは直径や用途に応じて適宜設定されるが、概ね１００ｍｍ〜３００ｍｍとすることが望ましい。金属棒２は、先端部２ａが細く鋭利に形成されるとともに、先端部２ａ近傍から基端部２ｂに亘って周囲に所定の間隔で金属棒２と同心円状の刃部２ｃが放射状に一体に突出形成されている。刃部２ｃの直径は、図３に示すように、金属棒２自体の直径よりも大きく形成されている。
【００１８】  また、刃部２ｃは、図１及び図２に示すように、所定のピッチを有する右ネジ状の螺旋状に突出形成されている。螺旋状に突出形成した刃部２ｃの断面は、外周部を頂点とする山型に形成されている。なお、刃部２ｃは、周知のネジを形成する工法を流用することが可能であり、その場合には、ピッチを周知のネジと同じにすることが望ましい。なお、螺旋状の刃部２ｃは、左ネジに形成しても良い。
【００１９】  一方、金属棒２の基端部２ｂに取り付けられた把持部３は、使用者が握り易い任意の形状に形成され、材質は、例えばウレタンゴムや天然ゴム等のやや弾性を有する素材が好ましい。また、把持部３は金属棒２の基端部２ｂにインサート成形または接着により取り付けられている。さらに、把持部３の外端側には、除草具１を所定の場所に引っ掛けるためにリング４が設けられている。
【００２０】  次に、本考案による除草具１の使用方法について、図４を参照しながら説明する。使用者は、把持部１を持ち、除草しようとする草５の土中に生えている根５ａを狙って除草具１の鋭利な先端部２ａを斜め横方向から土中に突き刺す。そして、土中に埋まっている根５ａの近傍に各刃部２ｃを絡めた状態で除草具１を引き上げことにより、草５は根５ａが刃部２ｃの間の溝に入り込んだ状態で絡まり引き抜かれる。このとき、根５ａを刃部２ｃに絡めるので、根切れを防止して効率的に除草することができる。
【００２１】  また、除草具１の刃部２ｃが螺旋状に突出形成されている場合は、除草しようとする草５の根５ａを狙って除草具１の鋭利な先端部２ａを斜め横方向から土中に突き刺した後、把持部１を回転することにより、刃部２ｃの間に入り込んだ根５ａが、螺旋状の刃部２ｃの間に入り込むとともに把持部３の方向に移動させ、根５ａの絡まりをさらに強めることができる。絡まりついた根５ａが刃部２ｃの把持部３方向に移動することにより、刃部２ｃの先端部２ａ側が空けられることにより、この部分にはさらに根５ａを絡めることが可能となり、一層効率的に除草することができる。
【００２２】  図５は、本考案に関わる除草具の刃部の他の実施例を示している。図５（Ａ）に示す除草具１０は、金属棒１１の先端部１１ａ近傍から基端部（図示しない）に亘って周囲に所定の間隔で金属棒１１と同心円状の刃部１１ｃが放射状に一体に突出形成されている。図５（Ａ）に示す刃部１１ｃは、側面形状が略矩形状に形成されている。また、刃部１１ｃの直径は、前述した実施例と同様に金属棒１１自体の直径よりも大きく形成されている。
【００２３】  図５（Ｂ）に示す除草具２０は、は、実質的に図５（Ａ）と同様であるが、相違する点は、刃部２１ｃの側面形状をそろばんの駒のような形成されていることである。また、刃部２１ｃの直径は、やはり金属棒２１自体の直径よりも大きく形成されている。
【００２４】  なお、このような図５（Ａ）及び（Ｂ）に示す刃部１１ｃ、２１ｃを形成した除草具１０、２０は、例えば、金属加工における転造加工法または旋盤加工法によって形成することができる。
【００２５】  このような、刃部１１ｃ、２１ｃを形成した除草具１０、２０であっても、前述した実施例と同様に、土中に埋まっている根５ａの近傍に各刃部２ｃを絡めた状態で除草具１０、２０を引き上げことにより、草５は根５ａが刃部１１ｃ、２１ｃの間の溝に入り込んだ状態で絡まり引き抜くことができ、根切れを防止して効率的に除草することができる。
【００２６】  前述した金属棒２、１１、２１は、刃部１１ｃ、２１ｃ先端部から基端部までほぼ同じ外径寸法としたが、先端部から基端部に至るにしたがって外径寸法を大きく形成するように形成しても良い。このように形成した除草具は、小さい外径寸法の先端側によって幅狭な隙間の草を除草することができ、大きい外径寸法の基端側では太い草の根であっても引っ掛けて引き抜くことができるので、多用な草に対して効率よく除草することができる。
【００２７】  以上、本考案を実施例に基づき具体的に説明したが、本考案は上記実施例に限定されるものではなく、その要旨を逸脱しない範囲で種々変形可能であることは言うまでもない。前述した実施例においては、刃部の形状を数例説明したが、先端部側の面を金属棒と直行する平面に形成し、基端部側の面を頂部に向けるように傾斜させるようにするなど、他の形状に変更しても良い。また、前述した実施例においては、刃部の間隔を等しく形成したが、不等間隔に形成しても良い。
【符号の説明】
【００２８】１    除草具
２    金属棒
２ａ  先端部
２ｂ  基端部
２ｃ  刃部
３    把持部
５    草
５ａ  根
【図１】
0003190338.tif 000003
【図２】
0003190338.tif 000004
【図３】
0003190338.tif 000005
【図４】
0003190338.tif 000006
【図５】
0003190338.tif 000007